Podtech/llm-jp-corpus-v4-ja_patent huggingface dataset:
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
多孔質のマイクロフィブリル化セルロース系材料の製造方法であって、少なくとも次のステップ：
（ｉ）均質な混合物がもたらされるように、マイクロフィブリル化セルロースの所定量を、溶媒において、少なくとも１つの水溶性の塩の所定量と一緒に混合するステップ；
（ｉｉ）（ｉ）の混合物を所望の形状となし、この混合物をオーブンによって乾燥させるステップ（第１の乾燥ステップ）；
（ｉｉｉ）ステップ（ｉｉ）の完了後に、ステップ（ｉｉ）の乾燥させられた材料を溶媒に浸漬し、よって、ステップ（ｉ）において添加された塩の９５％以上を浸出するステップ；
（ｉｖ）ステップ（ｉｉｉ）の完了後に、ステップ（ｉｉｉ）からのこの混合物をオーブンによって乾燥させ（第２の乾燥ステップ）、多孔質の塩不含材料をもたらすステップ、
を含む、多孔質のマイクロフィブリル化セルロース系材料の製造方法。
【請求項２】
ステップ（ｉ）における前記溶媒が、水である、請求項１に記載の方法。
【請求項３】
ステップ（ｉｉ）における混合物の乾燥が、８０℃以上で行われる、請求項１又は２に記載の方法。
【請求項４】
塩の水への溶解度が、温度を２０℃から１００℃まで変化させるときに、２５％未満だけ変化するという特徴を塩が有し、
この水溶性の塩が、２０℃において、１５ｇ／１００ｍｌから１００ｇ／１００ｍｌまでの水への溶解度を有する、
請求項１〜３のいずれか１項に記載の方法。
【請求項５】
方法全体が凍結乾燥のステップを含まず、および／または、方法全体が、水以外のいずれかの溶媒の使用も、細孔形成剤として機能するいずれかの他の薬品化合物の使用も含まない、
請求項１〜４のいずれか１項に記載の方法。
【請求項６】
マイクロフィブリル化セルロースの量、すなわち溶媒中のマイクロフィブリル化セルロース繊維／フィブリルの量（「固形分含量」）が、（ｉ）の混合物中の溶媒の質量に対する質量基準で、１％から３０％までである、
請求項１〜５のいずれか１項に記載の方法。
【請求項７】
（ｉ）の混合物中に存在する塩とその混合物中のＭＦＣの固形分含量との質量比が５００：１から１：１までの範囲である、
請求項１〜６のいずれか１項に記載の方法。
【請求項８】
ステップ（ｉ）の混合物中に存在する塩が、５μｍから５ｍｍまでの平均粒子サイズを有する粒子の形態で存在し、前記塩の少なくとも一部がステップ（ｉ）および（ｉｉ）の間にこれらの粒子の形態に留まる、
請求項１〜７のいずれか１項に記載の方法。
【請求項９】
ステップ（ｉ）の混合物中に存在する塩が、１０μｍから２５０μｍまでの平均粒子サイズを有する粒子の形態で存在する、
請求項１〜８のいずれか１項に記載の方法。
【請求項１０】
マイクロフィブリル化セルロース（「ＭＦＣ」）を含むかまたは本質的にそれからなる固体多孔質材料であって、
この固体多孔質材料が：
多孔質材料の全質量に対して、それぞれ質量基準で８５％以上のマイクロフィブリル化セルロースを含み、前記マイクロフィブリル化セルロースは、マイクロフィブリル化セルロースを形成している繊維／フィブリルの長さがマイクロメートル領域であり、マイクロフィブリル化セルロースを作り上げている繊維／フィブリルの直径がナノメートル領域であるという特徴を有し、；
体積あたりの質量として測定される密度が、１から１０００ｋｇ／ｍ３までである、
という特徴を有する、
マイクロフィブリル化セルロース（「ＭＦＣ」）を含むかまたは本質的にそれからなる固体多孔質材料。
【請求項１１】
体積あたりの質量として測定される前記密度が、１０から２００ｋｇ／ｍ３までである、
請求項１０に記載の固体多孔質材料。
【請求項１２】
室温において水中に浸漬されたときに、乾燥状態の質量の３倍（３ｇ／ｇ）以上の量の水を吸収するという特徴をさらに有する、
請求項１０又は１１に記載の固体多孔質材料。
【請求項１３】
絶縁、建設、家具、輸送装置における、もしくはスポーツ用具における、またはフィラー材料としての；あるいは
毒性化合物、金属、または色素を水または溶媒から吸収するための；あるいは
薬物放出、インプラント、細胞培養の医療分野における；あるいは
持続的な放出のために使用可能な、低可溶性の化合物、有機溶媒可溶性化合物、金属、および活性化合物を含有する材料を作出するための、あるいは
膜または薄型フィルムにおける、あるいはフィルター材料としての、
請求項１０〜１２のいずれか１項に記載の多孔質材料あるいは請求項１〜９のいずれか１項によって得られ得る多孔質材料の使用。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
歯科用基材の表面上で、
接着剤および
ペースト混合物を含んでなる歯科用組成物であって、
該ペースト混合物が、予め分離させた第１の部分と第２の部分とを一緒に混合することによって形成され、該第１の部分は少なくとも１種の重合可能なモノマーおよび少なくとも１種のヒドロペルオキシドを含み、該ヒドロペルオキシドがクメンヒドロペルオキシド（ＣＨＰ）であり、かつ、該第２の部分は少なくとも１種のチオ尿素化合物を含み、該チオ尿素が１−（２−ピリジル）−２−チオ尿素（ＰＴＵ）であり、かつ、
該接着剤が、少なくとも８％の１０−メタクリロイルオキシデシル二水素ホスフェート（１０−ＭＤＰ）を含んでなり、
前記ペースト混合物の第１の部分または第２の部分が、銅（ＩＩ）化合物をさらに含み、かつ、
前記歯科用基材上の歯科用接着剤の接着強度が１５ＭＰａ超である、歯科用組成物。
【請求項２】
前記歯科用基材がジルコニアである、請求項１に記載の歯科用組成物。
【請求項３】
前記接着剤が、単一ボトルの接着剤である、請求項１に記載の歯科用組成物。
【請求項４】
歯科修復方法であって、
歯科用基材上に歯科用接着剤を適用する第一工程であって、該接着剤が、少なくとも１種のリン酸含有（メタ）アクリルモノマーを含むものであり、該リン酸含有（メタ）アクリルモノマーが１０−メタクリロイルオキシデシル二水素ホスフェート（１０−ＭＤＰ）である、工程；および第１の部分と第２の部分が互いに分離した装置からペースト混合物を適用する第二工程であって、該第１の部分および第２の部分がペースト混合物を形成するものであり、かつ該装置からのペースト混合物が、第１の部分において少なくとも１種の重合可能モノマーおよび少なくとも１種のヒドロペルオキシドを含んでなり、前記ヒドロペルオキシドがクメンヒドロペルオキシド（ＣＨＰ）であり、かつ第２の部分において少なくとも１種のチオ尿素化合物を含むものであり、前記チオ尿素が１−（２−ピリジル）−２−チオ尿素（ＰＴＵ）であり、前記ペースト混合物の第１の部分または第２の部分が、銅（ＩＩ）化合物をさらに含み、かつ、前記歯科用基材上の歯科用接着剤の接着強度が１５ＭＰａ超である、工程
を含んでなる方法。
【請求項５】
前記接着剤が歯科用基材に効果的に接着する、請求項４に記載の方法。
【請求項６】
前記歯科用基材がジルコニアである、請求項４に記載の方法。
【請求項７】
前記装置がデュアルバレルシリンジである、請求項４に記載の方法。
【請求項８】
前記予め分離させた第１の部分と第２の部分とが、デュアルバレルシリンジによって分離される、請求項１に記載の歯科用組成物。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
5'CAP領域、5'非翻訳領域（5'-UTR）、ヒトIFN-αをコードするコード領域、3'非翻訳領域（3'-UTR）およびポリアデノシンテール（ポリAテール）を有する、ヒト患者の非メラノーマ皮膚癌（NMSC）の予防および治療での使用のためのインターフェロンアルファ（IFN-α）メッセンジャーRNA（mRNA）であって、特に、NMSCが、光線角化症（AK）、基底細胞癌（BCC）および扁平上皮癌（SCC）、特にAKであり、5'-UTRまたは3'-UTRまたは5'-UTRおよび3'-UTRが天然IFN-α mRNAとは異なるmRNAである、IFN-α mRNA。
【請求項２】
IFN-α1型mRNA（IFNa1）、IFN-α2a型mRNA（IFNa2a）、およびIFN-α2b型mRNA（IFNa2b）から選ばれる、請求項１に記載の使用のためのIFN-α mRNA。
【請求項３】
ポリAテールが、少なくとも100個のアデノシン一リン酸、好ましくは少なくとも120個のアデノシン一リン酸を含む、請求項１または２に記載の使用のためのIFN-α mRNA。
【請求項４】
5'-UTRまたは3'-UTRまたは5'-UTRおよび3'-UTRが天然IFN-α mRNAとは異なるmRNAであり、好ましくは、5'-UTRまたは3'-UTRまたは5'-UTRおよび3'-UTRが少なくとも1つの安定化配列、好ましくは一般式：(C/U)CCANxCCC(U/A)PyxUC(C/U)CC（配列番号38）（式中、「x」は、NxおよびPyxで独立して、0〜10、好ましくは0〜5、特に0、1、2、4および/または5の整数である）の安定化配列を含む、請求項１〜３のいずれか１項に記載の使用のためのIFN-α mRNA。
【請求項５】
5'-UTRおよび/または3'-UTRが、好ましくはアルファグロビン、ベータグロビン、アルブミン、リポキシゲナーゼ、ALOX15、アルファ（1）コラーゲン、チロシンヒドロキシラーゼ、リボソームタンパク質32L、真核生物伸長因子1a（EEF1A1）、オルソポックスウイルスに存在する5'-UTR要素、およびこれらの混合物から選択され、特にアルファグロビン、ベータグロビン、アルファ（1）コラーゲン、およびこれらの混合物から選択される、IFN-αとは異なるヒトmRNAの5'-UTRおよび/または3'-UTRである、請求項１〜４のいずれか１項に記載の使用のためのIFN-α mRNA。
【請求項６】
少なくとも5％、好ましくは少なくとも10％、好ましくは少なくとも30％、特に少なくとも50％の
−  シチジン残基が5-メチルシチジン残基で置換され、および／または
−  シチジン残基が2-アミノ-2-デオキシシチジン残基で置換され、および／または
−  シチジン残基が2-フルオロ-2-デオキシシチジン残基で置換され、および／または
−  シチジン残基が2-チオシチジン残基で置換され、および／または
−  シチジン残基が5-ヨードシチジン残基で置換され、および／または
−  ウリジン残基がプソイドウリジン残基で置換され、および／または
−  ウリジン残基が1-メチルプソイドウリジン残基で置換され、および／または
−  ウリジン残基が2-チオウリジン残基で置換され、および／または
−  ウリジン残基が5-メチルウリジン残基で置換され、および／または
−  アデノシン残基がN6-メチルアデノシン残基で置換される
請求項１〜５のいずれか１項に記載の使用のためのIFN-α mRNA。
【請求項７】
GC/AU比が、少なくとも49.5％、好ましくは少なくとも49.6、さらに好ましくは少なくとも50％、さらに一層好ましくは少なくとも55％、特に少なくとも60％である、請求項１〜６のいずれか１項に記載の使用のためのIFN-α mRNA。
【請求項８】
コドン適応指数（CAI）が少なくとも0.8、好ましくは少なくとも0.9である、請求項１〜７のいずれか１項に記載の使用のためのIFN-α mRNA。
【請求項９】
IFN-α mRNAのコード領域が
−  ヒトIFNa2aをコードし、好ましくは配列番号12、特に配列番号2、3、5、6、7、8、9、10、または11であるか、および／または
−  ヒトIFNa2bをコードし、好ましくは配列番号26、特に配列番号19、20、22、または25であるか、および／または
−  ヒトIFNa1をコードし、好ましくは配列番号36、特に配列番号29、30、31、32、34、または35である、請求項１〜８のいずれか１項に記載の使用のためのIFN-α mRNA。
【請求項１０】
皮下、皮内、経皮、表皮、または局所、特に表皮に投与される、請求項１〜９のいずれか１項に記載の使用のためのIFN-α mRNA。
【請求項１１】
請求項１〜１０のいずれか１項に記載のIFN-α mRNAを含む、NMSC、好ましくはAK、BCCおよびSCC、特にAKの予防および治療での使用のための医薬製剤。
【請求項１２】
薬学的に許容される担体、好ましくはポリマーベースの担体、特に、直鎖および分岐PEIおよびビロマーを含むカチオン性ポリマー；脂質ナノ粒子およびリポソーム、ナノリポソーム、セラミド含有ナノリポソーム、プロテオリポソーム、カチオン性両親媒性脂質、例えば、：SAINT-Lipids、天然および合成由来のエキソソーム、天然、合成および半合成の層状体、ナノ粒子、リンケイ酸カルシウムナノ粒子、リン酸カルシウムナノ粒子、二酸化ケイ素ナノ粒子、ナノ結晶粒子、半導体ナノ粒子、乾燥粉末、ポリ（D-アルギニン）、ナノデンドリマー、デンプンベースの送達システム、ミセル、エマルジョン、ゾルゲル、ニオソーム、プラスミド、ウイルス、リン酸カルシウムヌクレオチド、アプタマー、ペプチド、ペプチド結合体、ベクタータグ、好ましくは小分子標的結合体、またはウイルスキャプシドタンパク質、好ましくはバイオナノカプセルを含む、請求項１１に記載の使用のための医薬製剤。
【請求項１３】
請求項１〜１０のいずれか１項に記載の使用のためのIFN-α mRNAを患者に投与するためのキットであって、
−  請求項１〜１０のいずれか１項に記載の使用のためのIFN-α mRNA、および
−  皮膚送達装置
を含む、キット。
【請求項１４】
皮膚送達装置が、
−  針ベースの注射システムおよび無針注射システムからなる群から好ましくは選択される皮内送達装置であるか、または
−  経皮パッチ、中空および中実マイクロニードルシステム、微細構造経皮システム、電気泳動システム、およびイオン導入システムからなる群から好ましくは選択される経皮送達装置であるか、または
−  無針注射システム、レーザーベースのシステム、特にエルビウム（Erbium）YAGレーザーシステム、および遺伝子銃システムからなる群から好ましくは選択される表皮送達装置である、請求項１３に記載のキット。
【請求項１５】
NMSC、好ましくはAK、BCCおよびSCCを治療および予防する方法であって、請求項１〜１０のいずれか１項に記載のIFN-α mRNAをそれを必要とする患者に有効量で投与することを特徴とする方法。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
化学療法薬と組み合わせてがんを治療するための、ＢＡＤ（Ｂｃｌ２関連細胞死アゴニスト）の発現を増加させる、錠剤あたり０．０１ｍｇ〜５０ｍｇの薬剤を含む固形剤形の医薬組成物であって、前記薬剤が６−β−ナルトレキソールまたはその薬学的に許容される塩である、医薬組成物。
【請求項２】
前記薬剤は、対照に対して少なくとも５％、ＢＡＤの発現を増加させるのに十分な量で投与される、請求項１に記載の医薬組成物。
【請求項３】
前記薬剤は、対照に対して少なくとも４０％、ＢＡＤの発現を増加させるのに十分な量で投与される、請求項２に記載の医薬組成物。
【請求項４】
前記６−β−ナルトレキソールは、６−β−ナルトレキソールの血漿中濃度を０．３４〜３，４００ｎｇ／ｍｌに上昇させるのに効果的な量で投与される、請求項１〜３のいずれか一項に記載の医薬組成物。
【請求項５】
前記６−β−ナルトレキソールは、６−β−ナルトレキソールの血漿中濃度を３４〜３，４００ｎｇ／ｍｌに上昇させるのに効果的な量で投与される、請求項４に記載の医薬組成物。
【請求項６】
前記６−β−ナルトレキソールは、６−β−ナルトレキソールの血漿中濃度を３４０〜３，４００ｎｇ／ｍｌに上昇させるのに効果的な量で投与される、請求項５に記載の医薬組成物。
【請求項７】
化学療法薬と別々、連続または同時投与される、請求項１〜６のいずれか一項に記載の医薬組成物。
【請求項８】
前記薬剤および化学療法薬は、連続または別々に投与される、請求項７に記載の医薬組成物。
【請求項９】
前記化学療法薬は、ＢＡＤの発現を増加させる薬剤を含む前記医薬組成物が投与された後で投与される、請求項７または８に記載の医薬組成物。
【請求項１０】
前記化学療法薬は、対照に対して少なくとも５％、ＢＡＤの発現レベルが増加すると投与される、請求項７〜９のいずれか一項に記載の医薬組成物。
【請求項１１】
前記薬剤および化学療法薬は同時投与される、請求項７に記載の医薬組成物。
【請求項１２】
前記化学療法薬は、ＰＩ３−キナーゼ阻害剤、ＡＫＴ阻害剤、タキサン、抗代謝剤、アルキル化剤、細胞周期阻害剤、トポイソメラーゼ阻害剤および細胞毒性抗体から成る群より選択される、請求項７〜１１のいずれか一項に記載の医薬組成物。
【請求項１３】
前記化学療法薬は、抗代謝剤である、請求項１２に記載の医薬組成物。
【請求項１４】
前記化学療法薬は、ゲムシタビンである、請求項１３に記載の医薬組成物。
【請求項１５】
前記化学療法薬は、アルキル化剤である、請求項１２に記載の医薬組成物。
【請求項１６】
前記がんは、肺がん、大腸がん、乳がん、膵がん、リンパ腫及びグリオーマから成るリストより選択される、請求項１〜１５のいずれか一項に記載の医薬組成物。
【請求項１７】
前記がんは、肺がんまたは大腸がんである、請求項１６に記載の医薬組成物。
【請求項１８】
前記がんは、乳がんである、請求項１６に記載の医薬組成物。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
ヌクレオリンに特異的に結合する、壊死細胞を標的とする結合剤。
【請求項２】
前記結合剤は、抗体及び抗体フラグメント、又はファージディスプレイ若しくはＲＮＡディスプレイ由来の剤である、請求項１に記載の結合剤。
【請求項３】
前記壊死細胞は腫瘍細胞である、請求項１又は２に記載の結合剤。
【請求項４】
前記壊死細胞は、腫瘍微環境内の腫瘍細胞である、請求項１から３のいずれか一項に記載の結合剤。
【請求項５】
前記ヌクレオリンは、前記壊死細胞内に位置している、請求項１から４のいずれか一項に記載の結合剤。
【請求項６】
インビボで使用するための、請求項１から５のいずれか一項に記載の結合剤。
【請求項７】
前記結合剤はさらに、治療剤及び造影剤の少なくとも１つを含む、請求項１から６のいずれか一項に記載の結合剤。
【請求項８】
前記治療剤は、サイトカイン又はその一部、ケモカイン又はその一部、骨髄由来サプレッサ細胞（ＭＤＳＣ）のインヒビタ、Ｍ２マクロファージのインヒビタ、放射性同位体、共刺激分子、Ｔｏｌｌ様受容体（ＴＬＲ）アゴニスト又はリガンド、上皮間葉転換（ＥＭＴ）を妨げる分子、及び化学療法薬の少なくとも１つを含む、請求項７に記載の結合剤。
【請求項９】
前記造影剤は、放射性同位体、ＰＥＴ標識、及びＳＰＥＣＴ標識の少なくとも１つを含む、請求項７に記載の結合剤。
【請求項１０】
ヌクレオリンに特異的に結合する、腫瘍微環境内の壊死腫瘍細胞を標的とする結合剤。
【請求項１１】
前記結合剤は、抗体及び抗体フラグメント、又はファージディスプレイ若しくはＲＮＡディスプレイ由来の剤である、請求項１０に記載の結合剤。
【請求項１２】
前記壊死細胞は腫瘍細胞である、請求項１０又は１１に記載の結合剤。
【請求項１３】
前記壊死細胞は、固形腫瘍内の腫瘍細胞である、請求項１０から１２のいずれか一項に記載の結合剤。
【請求項１４】
前記ヌクレオリンは、前記壊死細胞内に位置している、請求項１０から１３のいずれか一項に記載の結合剤。
【請求項１５】
インビボで使用するための、請求項１０から１４のいずれか一項に記載の結合剤。
【請求項１６】
前記結合剤はさらに、治療剤及び造影剤の少なくとも１つを含む、請求項１０から１５のいずれか一項に記載の結合剤。
【請求項１７】
前記治療剤は、サイトカイン又はその一部、ケモカイン又はその一部、骨髄由来サプレッサ細胞（ＭＤＳＣ）のインヒビタ、Ｍ２マクロファージのインヒビタ、放射性同位体、共刺激分子、Ｔｏｌｌ様受容体（「ＴＬＲ」）アゴニスト又はリガンド、上皮間葉転換（「ＥＭＴ」）を妨げる分子、及び化学療法薬の少なくとも１つを含む、請求項１６に記載の結合剤。
【請求項１８】
前記造影剤は、放射性同位体、ＰＥＴ標識、及びＳＰＥＣＴ標識の少なくとも１つを含む、請求項１６に記載の結合剤。
【請求項１９】
腫瘍微環境内の壊死細胞への治療剤又は造影剤の標的送達で使用するための、ヌクレオリンに特異的に結合する結合剤。
【請求項２０】
前記治療剤は、サイトカイン又はその一部、ケモカイン又はその一部、ＭＤＳＣのインヒビタ、Ｍ２マクロファージのインヒビタ、放射性同位体、共刺激分子、ＴＬＲアゴニスト又はリガンド、ＥＭＴを妨げる分子、及び化学療法薬の少なくとも１つを含む、請求項１９に記載の結合剤。
【請求項２１】
前記腫瘍は固形腫瘍である、請求項１９又は２０に記載の結合剤。
【請求項２２】
前記結合剤は、抗体及び抗体フラグメント、又はファージディスプレイ若しくはＲＮＡディスプレイ由来の剤である、請求項１９から２１のいずれか一項に記載の結合剤。
【請求項２３】
インビボで使用するための、請求項１９から２２のいずれか一項に記載の結合剤。
【請求項２４】
前記壊死細胞内の前記ヌクレオリンは、細胞内位置にある、請求項１９から２３のいずれか一項に記載の結合剤。
【請求項２５】
ヌクレオリンに特異的に結合する結合剤を含む治療ハイブリッド分子であって、前記結合剤は治療剤に結合されている、治療ハイブリッド分子。
【請求項２６】
前記結合剤は、抗体及び抗体フラグメント、又はファージディスプレイ若しくはＲＮＡディスプレイ由来の剤である、請求項２５に記載の治療ハイブリッド分子。
【請求項２７】
前記治療剤は、サイトカイン又はその一部、ケモカイン又はその一部、骨髄由来サプレッサ細胞（ＭＤＳＣ）のインヒビタ、Ｍ２マクロファージのインヒビタ、放射性同位体、共刺激分子、Ｔｏｌｌ様受容体（ＴＬＲ）アゴニスト又はリガンド、上皮間葉転換（ＥＭＴ）を妨げる分子、及び化学療法薬の少なくとも１つを含む、請求項２５又は２６に記載の治療ハイブリッド分子。
【請求項２８】
ヌクレオリンに特異的に結合する結合剤を含む診断ハイブリッド分子であって、前記結合剤は、造影剤に結合されている、診断ハイブリッド分子。
【請求項２９】
前記結合剤は、抗体及び抗体フラグメント、又はファージディスプレイ若しくはＲＮＡディスプレイ由来の剤である、請求項２８に記載の診断ハイブリッド分子。
【請求項３０】
前記造影剤は、放射性同位体、ＰＥＴ標識、及びＳＰＥＣＴ標識の少なくとも１つを含む、請求項２８又は２９に記載の診断ハイブリッド分子。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
基材の表面上にソフトタッチコーティングを形成するのに有用なコーティング組成物であって、
ａ）（メタ）アクリレート官能化ポリトリメチレンエーテル、（メタ）アクリレート官能化ポリテトラメチレンエーテル、（メタ）アクリレート官能化ポリ−ｃｏ−テトラメチレントリメチレンエーテルからなる群から選択される少なくとも１つの（メタ）アクリレート官能化オキセタン／オキソランオリゴマー、
ｂ）（メタ）アクリレート官能化オキセタン／オキソランオリゴマー以外の少なくとも１つの放射線硬化性化合物、並びに
ｃ）スリップ添加剤及び粒子状表面改質剤からなる群から選択される少なくとも１つの表面コンディショナー添加剤、
ｄ）任意選択の少なくとも１つの光開始剤（好ましくは、前記光開始剤ｄ）が、長波長紫外線及び短波長紫外線の両方を吸収する１つの光開始剤であるか、又は前記光開始剤ｄ）が、長波長紫外線を吸収する第１の光開始剤及び短波長紫外線を吸収する第２の光開始剤を含む）
を含む、コーティング組成物。
【請求項２】
前記少なくとも１つの（メタ）アクリレート官能化オキセタン／オキソランオリゴマーａ）が、ジ（メタ）アクリレート官能化ポリテトラメチレンエーテルである、請求項１に記載のコーティング組成物。
【請求項３】
前記少なくとも１つの（メタ）アクリレート官能化ポリテトラメチレンエーテルが、アクリレート官能化ポリテトラメチレンエーテルである、請求項１又は２に記載のコーティング組成物。
【請求項４】
前記少なくとも１つの（メタ）アクリレート官能化オキセタン／オキソランオリゴマーａ）が、式（Ｉ）：
Ｈ２Ｃ＝Ｃ（Ｒ）Ｃ（＝Ｏ）−Ｏ−［（ＣＨ２）ｘ−Ｏ］ｎＣ（＝Ｏ）Ｃ（Ｒ’）＝ＣＨ２  （Ｉ）
（式中、Ｒ及びＲ’は、水素及びメチルからなる群から独立して選択され、ｘは、３又は４であり、ｎは、２〜１００の整数である）に対応する、請求項１に記載のコーティング組成物。
【請求項５】
Ｒ及びＲ’が両方とも水素である、請求項４に記載のコーティング組成物。
【請求項６】
前記少なくとも１つの（メタ）アクリレート官能化オキセタン／オキソランオリゴマーが、式（Ｉ）の（メタ）アクリレート官能化ポリテトラメチレンエーテルの混合物であり、ｎが、平均で約３〜約４２である、請求項４に記載のコーティング組成物。
【請求項７】
前記少なくとも１つの（メタ）アクリレート官能化オキセタン／オキソランオリゴマーが、（メタ）アクリレート官能化オキセタン／オキソランオリゴマーａ）及び前記コーティング組成物中の（メタ）アクリレート官能化オキセタン／オキソランオリゴマー以外の放射線硬化性化合物ｂ）の総量の約４０重量％〜約９５重量％である、請求項１〜６のいずれかに記載のコーティング組成物。
【請求項８】
前記少なくとも１つの表面コンディショナー添加剤ｃ）が、ポリシロキサン、天然及び合成ワックス、並びにフルオロポリマーからなる群から選択される少なくとも１つのスリップ添加剤を含み、前記スリップ添加剤が、任意で少なくとも１つの放射線硬化性二重結合を含んでもよい、請求項１〜７のいずれかに記載のコーティング組成物。
【請求項９】
前記少なくとも１つの表面コンディショナー添加剤ｃ）が、シリコーンポリエーテルコポリマー及びシリコーンアクリレートからなる群から選択される少なくとも１つのポリシロキサンを含む、請求項１〜８のいずれかに記載のコーティング組成物。
【請求項１０】
前記（メタ）アクリレート官能化オキセタン／オキソランオリゴマー以外の少なくとも１つの放射線硬化性化合物ｂ）が、ジ（メタ）アクリレート官能化アルコキシル化脂肪族ジオールを含むジ（メタ）アクリレート官能化脂肪族ジオールからなる群から選択される少なくとも１つの（メタ）アクリレート官能化物質を含む、請求項１〜９のいずれかに記載のコーティング組成物。
【請求項１１】
前記少なくとも１つの表面コンディショナー添加剤ｃ）が、シリカ、ポリマービーズ及びワックス粒子からなる群から選択される少なくとも１つの粒子状表面改質剤を含む、請求項１〜１０のいずれかに記載のコーティング組成物。
【請求項１２】
前記コーティング組成物が、少なくとも１つのスリップ添加剤及び粒子状表面改質剤として少なくとも１つのシリカを含む、請求項１〜１１のいずれかに記載のコーティング組成物。
【請求項１３】
前記コーティング組成物が、スリップ添加剤として少なくとも１つのポリシロキサン及び粒子状表面改質剤として少なくとも１つのシリカを含む、請求項１〜１２のいずれかに記載のコーティング組成物。
【請求項１４】
基材の表面上にソフトタッチコーティングを形成する方法であって、請求項１〜１３のいずれかに記載のコーティング組成物の層を前記表面の少なくとも一部に塗布すること、及び照射により前記コーティング組成物を硬化させることを含む、方法。
【請求項１５】
請求項１〜１３のいずれかに記載のコーティング組成物を硬化させることにより得られるソフトタッチコーティングを有する基材。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
少なくとも１つの培養微細藻類と、少なくとも１つの媒染剤とを含む組成物。
【請求項２】
前記少なくとも１つの培養微細藻類は、紅藻類、褐藻類、緑藻類、紅藻類、藍藻類、及びそれらの任意の組み合わせから選択されることを特徴とする請求項１に記載の組成物。
【請求項３】
前記組成物は、少なくとも前記培養微細藻類を０．５重量％含有することを特徴とする請求項１または請求項２に記載の組成物。
【請求項４】
少なくとも１つの前記媒染剤は、タンニン酸、酒石酸、硫酸鉄（ＩＩ）七水和物、硫酸カリウムアルミニウム十二水和物、ＦｅＳＯ４、及びそれらの任意の組み合わせから選択されることを特徴とする請求項１〜請求項３のいずれか１つの項に記載の組成物。
【請求項５】
前記組成物は、少なくとも１つの酵素、少なくとも１つの染色バインダ、少なくとも１つの増粘剤、及びそれらの任意の組み合わせからなる添加剤リストのうち少なくとも１つをさらに含むことを特徴とする請求項１〜請求項４のいずれか１つの項に記載の組成物。
【請求項６】
前記組成物は、繊維及び布のうちの少なくとも一方の着色に使用されることを特徴とする請求項１〜請求項５のいずれか１つの項に記載の組成物。
【請求項７】
前記繊維は、天然繊維、人工繊維、又はそれらの任意の組み合わせから選択されることを特徴とする請求項６に記載の組成物。
【請求項８】
前記布は、織布又は不織布であることを特徴とする請求項６に記載の組成物。
【請求項９】
請求項１〜請求項８のいずれか１つの項に記載の組成物を含む繊維。
【請求項１０】
請求項１〜請求項８のいずれか１つの項に記載の組成物を含む布。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
式：
【化１】
2020515620.tif 000001
［式中、
環Ａは、置換されていてもよい芳香環を示し；
Ｘは、ＣＨまたはＮを示す。］
で表される化合物またはその塩。
【請求項２】
環Ａが、
(a) ハロゲン原子、
(b) シアノ基、
(c) カルバモイル基、
(d) ハロゲン化されていてもよいＣ１−６アルキル基、
(e) Ｃ１−６アルコキシ基、
(f) Ｃ３−１０シクロアルキル基、および
(g) Ｃ７−１６アラルキルオキシ基
から選ばれる１〜３個の置換基でそれぞれ置換されていてもよい、Ｃ６−１４芳香族炭化水素環または５ないし１４員芳香族複素環である、
請求項１記載の化合物またはその塩。
【請求項３】
4-((3,5-ジクロロピリジン-2-イル)オキシ)-2'-オキソ-1',2'-ジヒドロスピロ[シクロヘキサン-1,3'-インドール]-5'-カルボン酸またはその塩。
【請求項４】
4-((3,5-ジクロロピリジン-2-イル)オキシ)-2'-オキソ-1',2'-ジヒドロスピロ[シクロヘキサン-1,3'-ピロロ[3,2-b]ピリジン]-5'-カルボン酸またはその塩。
【請求項５】
2'-オキソ-4-(2,4,6-トリクロロフェノキシ)-1',2'-ジヒドロスピロ[シクロヘキサン-1,3'-インドール]-5'-カルボン酸またはその塩。
【請求項６】
4-(2,4-ジクロロフェノキシ)-2'-オキソ-1',2'-ジヒドロスピロ[シクロヘキサン-1,3'-インドール]-5'-カルボン酸またはその塩。
【請求項７】
4-((3-クロロ-5-(トリフルオロメチル)ピリジン-2-イル)オキシ)-2'-オキソ-1',2'-ジヒドロスピロ[シクロヘキサン-1,3'-インドール]-5'-カルボン酸またはその塩。
【請求項８】
4-(4-クロロ-2-メトキシフェノキシ)-2'-オキソ-1',2'-ジヒドロスピロ[シクロヘキサン-1,3'-インドール]-5'-カルボン酸またはその塩。
【請求項９】
4-((5-クロロ-3-フルオロピリジン-2-イル)オキシ)-2'-オキソ-1',2'-ジヒドロスピロ[シクロヘキサン-1,3'-インドール]-5'-カルボン酸またはその塩。
【請求項１０】
4-(2,4-ジクロロフェノキシ)-2'-オキソ-1',2'-ジヒドロスピロ[シクロヘキサン-1,3'-ピロロ[3,2-b]ピリジン]-5'-カルボン酸またはその塩。
【請求項１１】
4-((3-クロロ-5-(トリフルオロメチル)ピリジン-2-イル)オキシ)-2'-オキソ-1',2'-ジヒドロスピロ[シクロヘキサン-1,3'-ピロロ[3,2-b]ピリジン]-5'-カルボン酸またはその塩。
【請求項１２】
4-((3,5-ジフルオロピリジン-2-イル)オキシ)-2'-オキソ-1',2'-ジヒドロスピロ[シクロヘキサン-1,3'-インドール]-5'-カルボン酸またはその塩。
【請求項１３】
4-(4-クロロ-2-フルオロフェノキシ)-2'-オキソ-1',2'-ジヒドロスピロ[シクロヘキサン-1,3'-インドール]-5'-カルボン酸またはその塩。
【請求項１４】
請求項１記載の化合物またはその塩を含有してなる医薬。
【請求項１５】
イノシトールヘキサキスリン酸キナーゼ阻害剤である、請求項１４記載の医薬。
【請求項１６】
心不全および糖尿病から選ばれる疾患の予防または治療剤である、請求項１４記載の医薬。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
（ｉ）２５℃で少なくとも１ｇ／１００ｍｌの水への可溶性を有する水溶性ヘキサクロロ白金酸塩と式Ｉ’に従う化合物またはその塩を含む反応混合物を調製し、水溶性ヘキサクロロ白金酸塩と式Ｉ’に従う化合物を反応させる第１の工程
2020515621.tif 000001
［式中、
ＸはＯＨ、ＳＨおよびＮＨ２から選択され、
ＹおよびＺは、それらが結合している２つの炭素原子と一緒になって、１つまたは複数のＲ１基で置換されていてもよい４〜１２員の芳香族またはヘテロ芳香族基を形成し、
Ｒ１は、
１つまたは複数のＲ２基で置換されていてもよい、直鎖または分岐Ｃ１−６アルキル、
Ｆ、Ｃｌ、Ｂｒ、
ＣＮ、
ＯＨ、ＯＲ３、
ＮＨ２、ＮＨＲ４、ＮＲ４２、ＮＯ２、
ＮＨＣＯＨ、ＮＨＣＯＲ５、
ＣＯＨ、ＣＯ２Ｈ、ＣＯ２Ｒ５、ＣＯＲ５、
ＯＣＯＨ、ＯＣＯＲ５、
ＣＯＮＨ２、ＣＯＮＨＲ４、ＣＯＮＲ４２および
ＳＯ３Ｈ
から独立して選択され、
Ｒ２はＦ、Ｃｌ、ＢｒおよびＯＨから独立して選択され、
各Ｒ３、Ｒ４およびＲ５は独立して、直鎖または分岐状の無置換Ｃ１−６アルキルから選択される］；
第１の工程の後であるが第２の工程の前に、アルコール性還元剤を添加し、反応混合物を少なくとも５０℃の高い温度Ｔ２まで加熱する中間工程；
（ｉｉ）さらなる量の式Ｉ’に従う化合物またはその塩を反応混合物に添加する第２の工程
を含む、Ｐｔ（ＩＩ）錯体を合成する方法。
【請求項２】
第１の工程において、式Ｉ’に従う化合物が化学量論的に過剰に使用される、請求項１に記載の方法。
【請求項３】
第１の工程において、反応混合物が、アルコールと混合されていてもよい水から選択される溶媒をさらに含む、請求項１または請求項２に記載の方法。
【請求項４】
水溶性ヘキサクロロ白金酸塩がＮａ２［ＰｔＣｌ６］および塩化白金酸から選択される、請求項１から３のいずれか一項に記載の方法。
【請求項５】
式Ｉ’に従う化合物および水溶性ヘキサクロロ白金酸塩が、少なくとも２：１、好ましくは少なくとも３：１、好ましくは少なくとも４：１のモル比で、第１の工程において反応混合物に添加される、請求項１から４のいずれか一項に記載の方法。
【請求項６】
ＹおよびＺが、それらが結合している２つの炭素原子と一緒になって、１つまたは複数のＲ１基で置換されている４〜８員の芳香族または複素芳香族基を形成する、請求項１から５のいずれか一項に記載の方法。
【請求項７】
ＹおよびＺが、それらが結合している２つの炭素原子と一緒になって、無置換の４〜８員の芳香族またはヘテロ芳香族基を形成する、請求項１から５のいずれか一項に記載の方法。
【請求項８】
式Ｉ
2020515621.tif 000002
［式中、
Ｘ’はＯ、ＳおよびＮＨから選択され、
ＹおよびＺは、それらが結合している２つの炭素原子と一緒になって、１つまたは複数のＲ１基で置換されていてもよい４〜１２員の芳香族基を形成し、
Ｒ１は、
１つまたは複数のＲ２基で置換されていてもよい、直鎖または分岐Ｃ１−６アルキル、
Ｆ、Ｃｌ、Ｂｒ、
ＣＮ、
ＯＨ、ＯＲ３、
ＮＨ２、ＮＨＲ４、ＮＲ４２、ＮＯ２、
ＮＨＣＯＨ、ＮＨＣＯＲ５、
ＣＯＨ、ＣＯ２Ｈ、ＣＯ２Ｒ５、ＣＯＲ５、
ＯＣＯＨ、ＯＣＯＲ５、
ＣＯＮＨ２、ＣＯＮＨＲ４、ＣＯＮＲ４２、
ＳＯ３Ｈ
から独立して選択され、
Ｒ２はＦ、Ｃｌ、ＢｒおよびＯＨから独立して選択され、
各Ｒ３、Ｒ４およびＲ５は独立して、直鎖または分岐状の無置換Ｃ１−６アルキルから選択される］
に従うＰｔ（ＩＩ）錯体。
【請求項９】
ＹおよびＺが、それらが結合している２つの炭素原子と一緒になって、１つまたは複数のＲ１基で置換されている４〜８員の芳香族基を形成する、請求項８に記載のＰｔ（ＩＩ）錯体。
【請求項１０】
ＹおよびＺが、それらが結合している２つの炭素原子と一緒になって、無置換の４〜８員芳香族基を形成する、請求項８に記載のＰｔ（ＩＩ）錯体。
【請求項１１】
ＹおよびＺが、それらが結合している２つの炭素原子と一緒になって、無置換の６員芳香族基を形成する、請求項１０に記載のＰｔ（ＩＩ）錯体。
【請求項１２】
式Ｉ：
2020515621.tif 000003
［式中、
Ｘ’はＯ、ＳおよびＮＨから選択され、
ＹおよびＺは、それらが結合している２つの炭素原子と一緒になって、１つまたは複数のＲ１基で置換されていてもよい４〜１２員の芳香族またはヘテロ芳香族基を形成し、
Ｒ１は、
１つまたは複数のＲ２基で置換されていてもよい、直鎖または分岐Ｃ１−６アルキル、
Ｆ、Ｃｌ、Ｂｒ、
ＣＮ、
ＯＨ、ＯＲ３、
ＮＨ２、ＮＨＲ４、ＮＲ４２、ＮＯ２、
ＮＨＣＯＨ、ＮＨＣＯＲ５、
ＣＯＨ、ＣＯ２Ｈ、ＣＯ２Ｒ５、ＣＯＲ５、
ＯＣＯＨ、ＯＣＯＲ５、
ＣＯＮＨ２、ＣＯＮＨＲ４、ＣＯＮＲ４２、
ＳＯ３Ｈ
から独立して選択され、
Ｒ２はＦ、Ｃｌ、ＢｒおよびＯＨから独立して選択され、
各Ｒ３、Ｒ４およびＲ５は独立して、直鎖または分岐状の無置換Ｃ１−６アルキルから選択される］
に従うＰｔ（ＩＩ）錯体によって触媒されるヒドロシリル化反応を行う方法。
【請求項１３】
ヒドロシリル化反応が光活性化される、請求項１２に記載の方法。
【請求項１４】
ヒドロシリル化反応がＵＶ活性化される、請求項１３に記載の方法。
【請求項１５】
式Ｉ：
2020515621.tif 000004
［式中、
Ｘ’はＯ、ＳおよびＮＨから選択され、
ＹおよびＺは、それらが結合している２つの炭素原子と一緒になって、１つまたは複数のＲ１基で置換されていてもよい４〜１２員の芳香族またはヘテロ芳香族基を形成し、
Ｒ１は、
１つまたは複数のＲ２基で置換されていてもよい、直鎖または分岐Ｃ１−６アルキル、
Ｆ、Ｃｌ、Ｂｒ、
ＣＮ、
ＯＨ、ＯＲ３、
ＮＨ２、ＮＨＲ４、ＮＲ４２、ＮＯ２、
ＮＨＣＯＨ、ＮＨＣＯＲ５、
ＣＯＨ、ＣＯ２Ｈ、ＣＯ２Ｒ５、ＣＯＲ５、
ＯＣＯＨ、ＯＣＯＲ５、
ＣＯＮＨ２、ＣＯＮＨＲ４、ＣＯＮＲ４２、
ＳＯ３Ｈ
から独立して選択され、
Ｒ２はＦ、Ｃｌ、ＢｒおよびＯＨから独立して選択され、
各Ｒ３、Ｒ４およびＲ５は独立して、直鎖または分岐状の無置換Ｃ１−６アルキルから選択される］
に従うＰｔ（ＩＩ）錯体を含む硬化性組成物。
【請求項１６】
硬化性シリコーン組成物、好ましくは接着剤または剥離ライナーである、請求項１５に記載の硬化性組成物。
【請求項１７】
請求項１５または請求項１６に記載の硬化性組成物を硬化させることにより形成される硬化シリコーン生成物。
【請求項１８】
エラストマー、レンズ、電子部品のコーティング、硬化接着剤または歯科印象材である、請求項１７に記載の硬化シリコーン生成物。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
５’−三リン酸、２’−フルオロ修飾ピリミジン非直鎖状ＲＮＡを含む、細胞死を誘導することができる組成物であって、
ＲＮＡが、
（ａ）少なくとも８個のヌクレオチド対合の完全または部分的なハイブリダイゼーションから形成される第１のステムループと、
（ｂ）少なくとも８個のヌクレオチド対合の完全または部分的なハイブリダイゼーションから形成される第２のステムループと、
（ｃ）第１のステムループと第２のステムループの間のスペーサーと
を含む、組成物。
【請求項２】
ＲＮＡが、ＩＣＲ２（配列番号８）に対して少なくとも８０％の配列同一性を有するオリゴヌクレオチドを含む、請求項１に記載の組成物。
【請求項３】
ＲＮＡが、ＩＣＲ４（配列番号１５）、ＩＣＲ４Ａ（配列番号１６）、ＩＣＲ５Ｘ（配列番号１７）、またはＩＣＲ５Ｙ（配列番号１８）に対して少なくとも８０％の配列同一性を有するオリゴヌクレオチドを含む、請求項２に記載の組成物。
【請求項４】
ＲＮＡが、ＩＣＲ４（配列番号１５）に対して少なくとも８０％の配列同一性を有するオリゴヌクレオチドを含む、請求項３に記載の組成物。
【請求項５】
第１のステムループが、ＩＣＲ２（配列番号８）から本質的になるオリゴヌクレオチドから形成される、請求項２から４までのいずれか１項に記載の組成物。
【請求項６】
ＲＮＡが、
（ｉ）ＩＣＲ４（配列番号１５）またはＩＣＲ４Ａ（配列番号１６）に対して少なくとも８０％の配列同一性を有するｓｓＲＮＡオリゴヌクレオチド、または
（ｉｉ）ＩＣＲ５Ｙ（配列番号１８）に対して少なくとも８０％の配列同一性を有する第２のオリゴヌクレオチドに完全または部分的にハイブリダイズされた、ＩＣＲ５Ｘ（配列番号１７）に対して少なくとも８０％の配列同一性を有する第１のオリゴヌクレオチドを含むｄｓＲＮＡ
から本質的になる、請求項１に記載の組成物。
【請求項７】
第１のステムループが、その相補体とハイブリダイズして第１のステムループを形成することができる５’−三リン酸修飾末端ヌクレオチドを含み、
第２のステムループが、その相補体とハイブリダイズして第２のステムループを形成することができる５’−三リン酸修飾末端ヌクレオチドまたは３’末端ヌクレオチドを含む、
請求項１から６までのいずれか１項に記載の組成物。
【請求項８】
スペーサーがＲＮＡの一本鎖セグメントを含む、あるいは、スペーサーが、少なくとも８個のヌクレオチド対合の完全または部分的なハイブリダイゼーションから形成される第３のステムループを含む、あるいは、スペーサーが、ＲＮＡの二本鎖セグメントを含む、請求項１から７までのいずれか１項に記載の組成物。
【請求項９】
ＩＣＲ２（配列番号８）に対して少なくとも８０％の配列同一性を有するオリゴヌクレオチドから形成されるステムループを含む２’−フルオロ修飾ピリミジン非直鎖状ＲＮＡを含む、細胞死を誘導することができる組成物であって、オリゴヌクレオチドが、その相補的ヌクレオチドとハイブリダイズしてステムループを形成することができる５’−三リン酸修飾末端ヌクレオチドを含む、組成物。
【請求項１０】
ＲＮＡが、少なくとも８個のヌクレオチド対合の完全または部分的なハイブリダイゼーションから形成される第２のステムループと、ＩＣＲ２（配列番号８）に対して少なくとも８０％の配列同一性を有するオリゴヌクレオチドから形成されるステムループと第２のステムループの間のスペーサーとをさらに含む、請求項９に記載の組成物。
【請求項１１】
ＲＮＡが、ＩＣＲ４（配列番号１５）、ＩＣＲ４Ａ（配列番号１６）、ＩＣＲ５Ｘ（配列番号１７）、またはＩＣＲ５Ｙ（配列番号１８）に対して少なくとも８０％の配列同一性を有するオリゴヌクレオチドを含む、請求項１０に記載の組成物。
【請求項１２】
ＲＮＡが、ＩＣＲ４（配列番号１５）に対して少なくとも８０％の配列同一性を有するオリゴヌクレオチドを含む、請求項１１に記載の組成物。
【請求項１３】
ステムループが、ＩＣＲ２（配列番号８）から本質的になるオリゴヌクレオチドから形成される、請求項１０から１２までのいずれか１項に記載の組成物。
【請求項１４】
ＲＮＡが、
（ｉ）ＩＣＲ４（配列番号１５）もしくはＩＣＲ４Ａ（配列番号１６）に対して少なくとも８０％の配列同一性を有するｓｓＲＮＡオリゴヌクレオチド、または
（ｉｉ）ＩＣＲ５Ｙ（配列番号１８）に対して少なくとも８０％の配列同一性を有する第２のオリゴヌクレオチドに完全または部分的にハイブリダイズされた、ＩＣＲ５Ｘ（配列番号１７）に対して少なくとも８０％の配列同一性を有する第１のオリゴヌクレオチドを含むｄｓＲＮＡ
から本質的になる、請求項１０に記載の組成物。
【請求項１５】
治療剤をさらに含む、請求項１から１４までのいずれか１項に記載の組成物。
【請求項１６】
治療剤が、化学療法剤、抗癌生物製剤、免疫療法剤、およびそれらの任意の組み合わせから選択される群のメンバーを含む、請求項１５に記載の組成物。
【請求項１７】
細胞質送達組成物をさらに含む、請求項１から１６までのいずれか１項に記載の組成物。
【請求項１８】
細胞質送達組成物が、リポソーム、合成ポリマー、細胞透過性ペプチド、ナノ粒子、ウイルス粒子、エレクトロポレーション緩衝液、またはヌクレオフェクション試薬、およびそれらの任意の組み合わせからなる群のメンバーを含む、請求項１７に記載の組成物。
【請求項１９】
請求項１から１８までのいずれか１項に記載の組成物の治療有効量、および１つまたは複数の薬学的に許容される担体、賦形剤、または希釈剤を含む、医薬組成物。
【請求項２０】
細胞の増殖を阻害する、または細胞の死を誘導するのに有効な量で、請求項１から１９までのいずれか１項に記載の組成物と細胞をインビトロで接触させるステップを含む、インビトロで細胞の増殖を阻害する、または細胞死を誘導する方法。
【請求項２１】
対象における細胞の増殖の阻害、または細胞死の誘導する方法に使用するための組成物であって、前記組成物は、請求項１から１９までのいずれか１項に記載の組成物の有効量を含み、前記有効量は、そのような治療を必要とする対象において、細胞の増殖を阻害する、または細胞の死を誘導するのに有効な量である、組成物。
【請求項２２】
細胞が癌細胞を含む、請求項２１に記載の組成物。
【請求項２３】
癌細胞が、メラノーマ、脳癌、前立腺癌、乳癌、腎臓癌、肺癌、肝臓癌、結腸直腸癌、白血病、リンパ腫、または卵巣癌細胞を含む、請求項２２に記載の組成物。
【請求項２４】
少なくとも複数の細胞の細胞質に送達される、請求項２１から２３のいずれか１項に記載の組成物。
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
（メタ）アクリル酸前駆体の気相酸化により得られる（メタ）アクリル酸を含むガス状反応混合物から、有機溶媒の非存在下で、精製（メタ）アクリル酸を回収する方法であって、
ａ）前記ガス状反応混合物は、脱水カラムと呼ばれる第１の蒸留カラムで共沸溶媒を使用せずに脱水に供され、その頂部からの流れの少なくとも一部は凝縮されて、還流形態で前記脱水カラムに戻される流れ、及びその底部からの流れの少なくとも一部は前記脱水カラムの下部に還流として戻されて再循環ループを形成する流れをもたらす工程；
ｂ）前記脱水カラムの底部からの流れは、少なくとも部分的に仕上げカラムと呼ばれる第２の蒸留カラムに送られ、重質化合物を含む底部からの流れと軽質化合物を含む頂部からの流れとを分離でき、その少なくとも一部は前記脱水カラムに戻される工程
を少なくとも含み、
前記方法は、
ｉ）前記仕上げカラムは、分離壁を備え、この壁は頂部のカラムの上部ドームと接続され、下部の前記カラムの底部とは接続されていないため、前記カラムは、気液接触を確実にする内部蒸留要素を備えた２つのセクションに分離され、その下部スペースが前記カラム底部のスペースと連通し、そのヘッドスペースが２つの密閉領域に分離され、このカラムは前記分離壁の片側から供給される；及び
ｉｉ）軽質化合物に富み水を含むガス状流れが、供給セクションの頂部で抽出され、次いで凝縮後、前記脱水カラムの底部の再循環ループの少なくとも一部でリサイクルされる、及び
ｉｉｉ）前記供給セクションの他方の側に位置するセクションの頂部にある前記仕上げカラムからガス状形態で抽出された精製（メタ）アクリル酸の流れは、凝縮後にドローオフされ、凝縮された流れの一部はドローオフセクションの頂部で液体還流として戻される
ことを特徴とする、方法。
【請求項２】
（メタ）アクリル酸前駆体が、プロピレンの酸化又はプロパンのオキシ脱水素化により得られるアクロレインであることを特徴とする、請求項１に記載の方法。
【請求項３】
（メタ）アクリル酸前駆体が、イソブチレン及び／若しくはｔｅｒｔ−ブタノールの酸化により、又はブタン及び／若しくはイソブタンのオキシ脱水素化により得られるメタクロレインであることを特徴とする、請求項１に記載の方法。
【請求項４】
（メタ）アクリル酸前駆体が、再生可能源からの炭素を含むことを特徴とする、請求項１に記載の方法。
【請求項５】
仕上げカラムが、供給セクションの上部トレイの頂部で供給され、任意に、前記供給セクションの頂部で抽出されるガス状流れの一部が、凝縮後に前記仕上げカラムの供給流れに戻されることを特徴とする、請求項１〜４のいずれか一項に記載の方法。
【請求項６】
仕上げカラムが、供給セクションの上部トレイよりも低い位置にある点で供給され、前記供給セクションの頂部で抽出されたガス状流れの一部が、凝縮後に前記供給セクションの頂部での液体還流として戻されることを特徴とする、請求項１〜４のいずれか一項に記載の方法。
【請求項７】
仕上げカラムの供給セクションが、包括的に５〜２０の理論トレイ数を含むことを特徴とする、請求項１〜６のいずれか一項に記載の方法。
【請求項８】
仕上げカラムのドローオフセクションが、包括的に２〜２０の理論トレイ数を含むことを特徴とする、請求項１〜７のいずれか一項に記載の方法。
【請求項９】
分離壁の下に位置する仕上げカラムの下部スペースが、１〜５の理論トレイに相当する精留要素を備えることを特徴とする、請求項１〜８のいずれか一項に記載の方法。
【請求項１０】
残留アルデヒド含有量を低減することを目的とする化学処理剤を仕上げカラムに導入することをさらに含むことを特徴とする、請求項１〜９のいずれか一項に記載の方法。
【請求項１１】
アルデヒド用の化学処理剤が、
アミン；
アニリンファミリーの化合物；
ヒドラジンファミリーの化合物；
ヒドラジドファミリーの化合物；
単独又は任意の割合のそれらの混合物
から選択されることを特徴とする、請求項１０に記載の方法。
【請求項１２】
化学処理剤が、少なくとも供給流れとともに化学剤の効果的な分散を確実にする能力を含む混合デバイスにより、仕上げカラムの供給流れに導入されることを特徴とする、請求項１０又は１１に記載の方法。
【請求項１３】
化学処理剤が、カラムが供給されるトレイよりも低い、前記カラムの頂部と底部との間に位置する点、仕上げカラムの供給セクションの高さの約３分の１と３分の２との間に位置する点にて、前記仕上げカラムに直接導入されることを特徴とする、請求項１０又は１１に記載の方法。
【請求項１４】
中間品質の（メタ）アクリル酸を含むガス状流れのサイドドローが、ドローオフセクションから製造されることを特徴とする、請求項１０又は１１に記載の方法。
【請求項１５】
分別晶出により、又は任意で残留アルデヒドと反応する化合物の存在下での蒸留により、精製された（メタ）アクリル酸の追加の処理をさらに含み、ポリマーグレードの（メタ）アクリル酸品質をもたらす、請求項１〜９のいずれか一項に記載の方法。
【請求項１６】
Ａ）少なくとも１つの（メタ）アクリル酸前駆体を気相酸化に供し、（メタ）アクリル酸を含むガス状反応混合物を形成する工程；
Ｂ）前記ガス状反応混合物を冷却する工程；
Ｃ）前記冷却されたガス状反応混合物を、請求項１〜１５のいずれか一項に記載の（メタ）アクリル酸の回収方法に供する工程
を少なくとも含む、精製（メタ）アクリル酸の製造方法。
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
グラフト化ヒドロゲルを製造する方法であって、
（ａ）引抜き可能な原子を有するポリマー基材を得る工程と、
（ｂ）前記ポリマー基材をＩＩ型光開始剤でコーティングして、乾燥したコーティングされた基材を形成する工程と、
（ｃ）水性組成物を塗布して、水性コーティングされた基材を形成する工程であって、前記水性組成物が、（ｉ）（メタ）アクリルアミド、（メタ）アクリレート、及びこれらの組み合わせを含む親水性モノマー、（ｉｉ）２重量％〜２０重量％の水膨潤性粘土、並びに（ｉｉｉ）水溶性Ｉ型光開始剤、並びに（ｉｖ）塩又は酸、を含む工程と、
（ｄ）前記水性コーティングされた基材を硬化する工程と、をこの順序で含む、方法。
【請求項２】
前記ポリマー基材が、ポリオレフィン、ポリウレタン、ポリアミド、及びポリエステルのうちの少なくとも１つを含む、請求項１に記載の方法。
【請求項３】
前記ポリマー基材が、水不溶性ＩＩ型光開始剤でコーティングされる、請求項１又は２に記載の方法。
【請求項４】
工程（ｂ）が、前記ＩＩ型光開始剤及び溶媒を含む液体を前記ポリマー基材上にコーティングし、続いて前記溶媒を除去して、前記乾燥したコーティングされた基材を形成することによって実施される、請求項１〜３のいずれか一項に記載の方法。
【請求項５】
前記水性組成物が、前記乾燥したコーティングされた基材に密接に接触する、請求項１〜４のいずれか一項に記載の方法。
【請求項６】
前記水性組成物が、５超かつ９．５未満のｐＨを有する、請求項１〜５のいずれか一項に記載の方法。
【請求項７】
前記水性組成物のヒドロゲルコーティングが、少なくとも２ｍｍの厚さを有する、請求項１〜６のいずれか一項に記載の方法。
【請求項８】
（ｉ）引抜き可能な原子を含むポリマー基材と、
（ｉｉ）その上のヒドロゲルコーティングであって、少なくとも１０重量％の含水量を
有し、かつ前記ポリマー基材に共有結合している、ヒドロゲルコーティングと、
を含むヒドロゲル物品であって、前記ヒドロゲルコーティングが、
（ａ）（メタ）アクリルアミド、（メタ）アクリレート、及びこれらの組み合わせを含む親水性モノマー、
（ｂ）少なくとも２重量％の水膨潤性粘土、
（ｃ）水溶性Ｉ型光開始剤、並びに
（ｄ）酸又は塩、
を含む水性組成物に由来し、
水不溶性ＩＩ型光開始剤が、前記ヒドロゲルコーティングと前記ポリマー基材との間の界面に局在化している、ヒドロゲル物品。
【請求項９】
前記水不溶性ＩＩ型光開始剤が、前記ポリマー基材の第１の主表面から５０ナノメートル以内にある、請求項８に記載のヒドロゲル物品。